(57)【要約】【課題】ＲＧＢ方式により画像表示を行う表示装置であって、色調の差が大きい領域において色ズレが発生することを回避できる表示装置を提供する。【解決手段】本発明の表示装置は、一画素分の画像を表示する素子が二次元的に配列された表示部を備えている。また、各素子へ入力される入力信号を生成する信号生成部を備えている。また、三種の素子が連続して配列されている素子群を単位素子群とし、入力信号のレベルが同じ単位素子群が素子の配列方向へ連続している領域を、同色領域として検出する領域検出部を備えている。また、同色領域の隣接素子群を検出し、同色領域の入力信号レベルと、隣接素子群の入力信号レベルとのレベル差が所定値を超える同色領域を検出するレベル比較部を備えている。また、レベル比較部により検出された同色領域の入力信号レベルを所定値だけ低減するよう、信号生成部を制御するレベル補正部を備えている。【選択図】図４
2011022436.tif 000002
【特許請求の範囲】
【請求項１】
電気信号を入力することにより一画素分の画像を表示する素子が二次元的に配列された表示部と、
前記素子へ入力される電気信号である入力信号を生成する信号生成部と、
互いに異なる発光色を持つ三つの前記素子が配列されている素子群を単位素子群とし、前記入力信号のレベルが同じ前記単位素子群が該配列の方向へ連続している領域を同色領域として検出する領域検出部と、
前記同色領域に対して該配列の方向に隣接し且つ前記入力信号のレベルが前記同色領域と異なる単位素子群を該同色領域の隣接素子群として検出し、前記同色領域における前記入力信号のレベルと前記隣接素子群における前記入力信号のレベルとのレベル差を算出し、前記レベル差が予め定められた値を超える前記同色領域を検出するレベル比較部と、
前記レベル比較部により検出された前記同色領域における前記入力信号のレベルを、予め定められた値だけ低減するよう前記信号生成部を制御するレベル補正部とを備えること
を特徴とする表示装置。
【請求項２】
前記レベル比較部が、該配列の方向における前記表示部の両端部に位置する前記同色領域であり、且つ前記入力信号のレベルが予め定めた値を超える前記同色領域を検出し、
前記レベル補正部が、前記レベル比較部により検出された該同色領域における前記入力信号のレベルを、予め定められた値だけ低減するよう前記信号生成部を制御する、
請求項１に記載の表示装置。
【請求項３】
画像を記録する記録部と、
前記表示部が一フレームの画像を表示するために必要とする前記入力信号を取得し、前記入力信号をフレーム単位で前記記録部に記録する信号取得部とを備え、
前記領域検出部及び前記レベル比較部が、前記信号取得部により取得されて前記記録部に記録されている前記入力信号を用いて、フレーム単位で前記検出処理又は前記比較処理を行う、
請求項１に記載の表示装置。
【請求項４】
前記レベル比較部が、前記単位素子群が該配列の方向へ三つ以上連続している前記同色領域を対象として、前記レベル差を算出する、
請求項１に記載の表示装置。
【請求項５】
前記レベル比較部が、前記入力信号のレベルが予め定められた第一閾値を上回る前記同色領域、又は前記入力信号のレベルが予め定められた第二閾値を下回る前記同色領域を対象として、前記レベル差を算出する、
請求項１に記載の表示装置。
【請求項６】
前記レベル補正部が、前記レベル比較部により前記レベル差が予め定められた値を超えると判定された前記同色領域に含まれる前記素子のうち、該配列の方向における該同色領域の両端部に位置する前記素子に対する前記入力信号のレベルを最も低減する、
請求項１に記載の表示装置。
【請求項７】
前記レベル補正部が、前記レベル比較部により前記レベル差が予め定められた値を超えると判定された前記同色領域に含まれる前記素子について、前記隣接画素群に対する前記入力信号のレベルに基づいて、該素子に対する前記入力信号のレベルの低減量を決定する、
請求項１に記載の表示装置。
【発明の詳細な説明】
【技術分野】
【０００１】
本発明は、画像の表示を行う表示装置に関するものであり、特に表示画面上に発生する色ズレを軽減する機能を備えた表示装置に関する。
【背景技術】
【０００２】
今日、テレビ放送波等から得られる画像を表示する表示装置として、液晶ディスプレイやＣＲＴ（Cathode Ray Tube）ディスプレイ等の表示装置が広く普及している。これらの表示装置の表示方式として、ＲＧＢ（Red Green Blue color model）方式のものが多く実用化されている。
【０００３】
ＲＧＢ方式のディスプレイは通常、Ｒ（＝赤色）、Ｇ（＝緑色）、Ｂ（＝青色）の三種類の画素を用いて画像を表示する。各画素は、ディスプレイドライバが出力する電気信号に基づいて、色調の調整が行われる。つまり、各画素を表示する素子へ入力する電気信号の信号レベルを、画素単位で調整する。これにより、全体として一つの画像をディスプレイに表示することが可能である。
【０００４】
上記のような表示装置の中でも大型ディスプレイ、特に６０インチを超える大型ディスプレイは一般的に、視聴者がある程度の距離をとって視聴することが想定されている。しかし設置状況によっては、視聴者から大型ディスプレイまでの距離が数メートル以内の場合もある。この場合、白黒のはっきりした画像を表示すると、白色と黒色との境界、特に画面端において色ズレが発生する場合がある。
【０００５】
図５は、色ズレの発生状況の一例を示した画面図である。図５に示すように、白色領域と黒色領域の境界、つまり白色領域の左端に、赤い縦線が表示される。また図示していないが、白色領域の右端には、青い縦線が表示される。これらの縦線が、色ズレである。
【０００６】
上記の色ズレの原因は、各画素を表示する素子の発光色及び配列と関係がある。図６は、表示装置に含まれる素子の配列を示した拡大図である。図６に示すように、横方向に左からＲ、Ｇ、Ｂの順に、素子が配置されている。また縦方向に、同色の素子が配置されている。
【０００７】
このＲＧＢの三種の素子を一組として、様々な色を表現することができる。例えばＲＧＢの全てのレベルが最大である場合、この三素子によって白色が表現される。また全てのレベルが最小である場合、この三素子によって黒色が表現される。
【０００８】
しかしながら白色領域と黒色領域とが図５に示すように隣接する場合、白色領域の左端の素子から発せられる光、つまり赤色光を白色に見せるための緑色光及び青色光を、その右側の二素子からだけでは十分に得ることができない。つまり、緑色光及び青色光の光量が相対的に不足した状態となる。
【０００９】
結果として、本来は白色が表示されるべき部分に赤色が表示されることとなる。このため、例えばＣＲＴディスプレイでは、コンバージェンスズレのような症状が発生する。
【００１０】
以上の現象は、視聴者がディスプレイから十分に離れて視聴している場合は、色ズレを認識する可能性が低いため、問題とならない場合が多い。しかし視聴者と表示装置との距離が比較的近い場合に、この色ズレが視聴者にとって視聴の妨げとなる可能性がある。
【００１１】
上記に関連した技術として、特許文献１においては、動画表示のエッジ部分の色付きを改善することを目的とした液晶表示装置が開示されている。この液晶表示装置は、現フレームの画像信号とメモリに記録された一フレーム前の画像信号とを比較して画像信号の動きを検出する動き検出部を備えている。
【００１２】
動き検出部により動きが検出されると、液晶表示装置の備えるバックライト駆動部は、液晶パネルの応答が安定した期間だけでバックライトを点灯する。これにより、液晶パネルの動画表示のエッジ部分の色付きを改善している。
【先行技術文献】
【特許文献】
【００１３】
【特許文献１】特開２００９−３７１６３号公報
【発明の概要】
【発明が解決しようとする課題】
【００１４】
しかしながら上記の技術は、動きが激しい動画におけるバックライト調光に関するものであり、画素の配列に起因する色ズレの補正を行うものではない。
【００１５】
本発明は、上記の問題を鑑みてなされたものであり、ＲＧＢ方式により画像表示を行う表示装置であって、色調の差が大きい領域において色ズレが発生することを回避できる表示装置を提供することにある。
【課題を解決するための手段】
【００１６】
上記の目的を達成するために本発明の表示装置は、電気信号を入力することにより一画素分の画像を表示する素子が二次元的に配列された表示部と、前記素子へ入力される電気信号である入力信号を生成する信号生成部と、互いに異なる発光色を持つ三つの前記素子が配列されている素子群を単位素子群とし、前記入力信号のレベルが同じ前記単位素子群が該配列の方向へ連続している領域を同色領域として検出する領域検出部と、前記同色領域に対して該配列の方向に隣接し且つ前記入力信号のレベルが前記同色領域と異なる単位素子群を該同色領域の隣接素子群として検出し、前記同色領域における前記入力信号のレベルと前記隣接素子群における前記入力信号のレベルとのレベル差を算出し、前記レベル差が予め定められた値を超える前記同色領域を検出するレベル比較部と、前記レベル比較部により検出された前記同色領域における前記入力信号のレベルを、予め定められた値だけ低減するよう前記信号生成部を制御するレベル補正部とを備えることを特徴とする。
【００１７】
この構成によると、本発明の表示装置は、電気信号を入力することにより一画素分の画像を表示する素子が二次元的に配列された表示部を備えている。また、各素子へ入力される入力信号を生成する信号生成部を備えている。また、互いに異なる発光色を持つ三つの素子が連続して配列されている素子群を単位素子群とし、入力信号のレベルが同じ単位素子群が素子の配列方向へ連続している領域を、同色領域として検出する領域検出部を備えている。また、同色領域に対して配列方向に隣接し、且つ入力信号のレベルが同色領域と異なる単位素子群を隣接素子群として検出するレベル比較部を備えている。レベル比較部は、同色領域の入力信号レベルと、隣接素子群の入力信号レベルとのレベル差を算出する。そしてレベル差が所定値を超える同色領域を検出する。また本発明の表示装置は、レベル比較部により検出された同色領域の入力信号レベルを所定値だけ低減するよう、信号生成部を制御するレベル補正部を備えている。これにより、信号レベル差、つまり色調差の大きい画素が隣接している領域において、色調差に起因して発生する色ズレを回避することができる。
【００１８】
また上記の目的を達成するために本発明の表示装置は、前記レベル比較部が、該配列の方向における前記表示部の両端部に位置する前記同色領域であり、且つ前記入力信号のレベルが予め定めた値を超える前記同色領域を検出し、前記レベル補正部が、前記レベル比較部により検出された該同色領域における前記入力信号のレベルを、予め定められた値だけ低減するよう前記信号生成部を制御する。
【００１９】
この構成によると、レベル比較部は、素子の配列方向における両端部に位置する同色領域のうち、入力信号のレベルが予め定めた値を超える同色領域、つまり白色に近い同色領域を検出する。レベル補正部は、レベル比較部により検出された同色領域の入力信号レベルを、所定値だけ低減するよう信号生成部を制御する。これにより、画面端に白色領域が表示された場合に、画面外の黒色と画面端の白色との色調差によって色ズレが発生するのを防止できる。
【００２０】
また上記の目的を達成するために本発明の表示装置は、画像を記録する記録部と、前記表示部が一フレームの画像を表示するために必要とする前記入力信号を取得し、前記入力信号をフレーム単位で前記記録部に記録する信号取得部とを備え、前記領域検出部及び前記レベル比較部が、前記信号取得部により取得されて前記記録部に記録されている前記入力信号を用いて、フレーム単位で前記検出処理又は前記比較処理を行う。
【００２１】
この構成によると、表示装置は、メモリ等の記録部と、画像信号を取得して記録部に記録する信号取得部を備えている。信号取得部は、表示部が表示する一フレーム分の画像を取得して記録部に記録する。領域検出部又はレベル比較部は、記録部に記録されている一フレーム分の画像を用いて、上述の検出処理や比較処理を行う。これにより、色ズレの発生防止をフレーム単位で実行できる。
【００２２】
また上記の目的を達成するために本発明の表示装置は、前記レベル比較部が、前記単位素子群が該配列の方向へ三つ以上連続している前記同色領域を対象として、前記レベル差を算出する。
【００２３】
この構成によると、レベル比較部は、画素配列方向に対して単位画素群が三連続以上している同色領域を対象とし、上記のレベル差の算出を行う。このため、長さが短すぎてレベル補正を行う必要のない同色領域に対して、不要なレベル補正を行うことを回避できる。
【００２４】
また上記の目的を達成するために本発明の表示装置は、前記レベル比較部が、前記入力信号のレベルが予め定められた第一閾値を上回る前記同色領域、又は前記入力信号のレベルが予め定められた第二閾値を下回る前記同色領域を対象として、前記レベル差を算出する。
【００２５】
この構成によると、レベル比較部は、入力信号のレベルが第一閾値を上回る同色領域、つまり白色の領域をレベル対象の比較にする。また、入力信号のレベルが第二閾値を下回る同色領域、つまり黒色の領域をレベル対象の比較とする。このため、色ズレが発生しにくいレベルの同色領域、例えば赤と青との中間色からなる同色領域等に対して、不要なレベル補正を行うことを回避できる。
【００２６】
また上記の目的を達成するために本発明の表示装置は、前記レベル補正部が、前記レベル比較部により前記レベル差が予め定められた値を超えると判定された前記同色領域に含まれる前記素子のうち、該配列の方向における該同色領域の両端部に位置する前記素子に対する前記入力信号のレベルを最も低減する。
【００２７】
この構成によると、レベル補正部は、レベル差が所定値を超えると判定された同色領域に含まれる素子のうち、同色領域の両端部の素子の入力信号レベルを最も低減し、内側の素子群ほど、入力信号レベルを低減する度合いを小さくする。これにより、色ズレが発生しにくい素子群である内側の素子群の入力レベルを、不必要に変更することがない。
【００２８】
また上記の目的を達成するために本発明の表示装置は、前記レベル補正部が、前記レベル比較部により前記レベル差が予め定められた値を超えると判定された前記同色領域に含まれる前記素子について、前記隣接画素群に対する前記入力信号のレベルに基づいて、該素子に対する前記入力信号のレベルの低減量を決定する。
【００２９】
この構成によると、レベル補正部は、レベル差が所定値を超える同色領域に含まれる素子の入力信号レベルを、隣接画素群の入力信号レベルに基づいて決定した値だけ低減する。これにより、より好適な変更量によるレベル補正を行うことができる。
【発明の効果】
【００３０】
本発明によれば、同色領域とその隣接領域との境界、又は画面端において色ズレが発生するのを回避できる。このため、表示装置のサイズが比較的大きい場合や、表示装置と視聴者との距離が比較的近い場合において、色ズレが視聴の妨げとなるのを回避できる。従って視聴者は、より好適な状態で表示装置を視聴することができる。
【図面の簡単な説明】
【００３１】
【図１】本発明の表示装置の構成を示すブロック図である。
【図２】本発明の表示装置が備える機能部の構成を示す機能ブロック図である。
【図３】本発明の表示装置の素子の配列、及び素子の信号レベルを示した模式図である。
【図４】本発明のレベル補正処理の処理フローを示したフロー図である。
【図５】従来の表示装置の表示画面を示した画面図である。
【図６】従来の表示装置の素子の配列を示した模式図である。
【発明を実施するための形態】
【００３２】
以下に本発明の実施形態を、図面を参照しながら説明する。なお、ここで示す実施形態は一例であり、本発明はここに示す実施形態に限定されるものではない。
〈１．表示装置の内部構成について〉
【００３３】
図１は、本発明の一実施形態に係る液晶テレビ１（＝表示装置）の内部構成を示すブロック図である。なお、図１における矢印線は画像データ及び音声データの流れを示している。また、矢印のない直線は、制御部１１が各装置に対する制御信号等を送受信するための通信バスを示している。
【００３４】
液晶テレビ１は少なくとも、制御部１１、フラッシュメモリ１２、操作部１３、フィールドメモリ１４（＝記録部）、放送受信部１５、外部入力部１６、Ａ／Ｄ変換部１７、信号分離部１８、音声信号復号部１９、音声信号生成部２０、スピーカ２１、画像信号復号部２２、原色信号生成部２３（＝信号生成部）、及びディスプレイ２４（＝表示部）を含むように構成されている。
【００３５】
制御部１１は、液晶テレビ１の各部材の駆動を制御することにより、放送波の受信や、受信した放送波に含まれるデータの表示処理等を統括制御するためのものである。制御部１１は例えば、複数のマイクロプロセッサから構成されている。また制御部１１は、制御部１１が備える演算処理装置上でプログラムを実行することにより実現される機能部として、後述する信号取得部１１ａ〜レベル補正部１１ｄ（図２）を備えている。
【００３６】
フラッシュメモリ１２は、ＥＥＰＲＯＭの一種で、デバイスの利用者が書き込み／消去可能なＲＯＭである。フラッシュメモリ１２は回路基板に実装したままで書き込み、消去ができるため、利用時に書き換えが必要な用途、例えば機器の動作設定データや、利用者固有の情報等を保存するのに用いられる。
【００３７】
操作部１３は、ユーザが番組の選局等を行うための各種指示を液晶テレビ１に対して行うためのものである。操作部１３により出力された指示は、制御部１１により受け付けられる。指示を受け付けた制御部１１は、指示の内容に基づいて選局処理や設定変更処理等を行う。
【００３８】
フィールドメモリ１４は、画像をフレーム単位で一時的に記録する媒体であり、例えば書き込み可能なＲＡＭ（Random Access Memory）等により構成されている。フィールドメモリ１４は、後述する信号取得部１１ａにより取得された画像を表示するための画像信号、例えばディスプレイ２４に入力される原色信号の記録を行う。記録された画像信号は、領域検出部１１ｂやレベル比較部１１ｃにより各処理に用いられる。
【００３９】
放送受信部１５は、外部のアンテナ（不図示）に接続されてデジタル放送、又はアナログ放送の選局、受信、周波数変換、増幅、復調等を行う。放送受信部１５は、アナログ方式であればアナログチューナ、画像中間周波増幅回路、復調回路、及び増幅回路等を含むように構成されている。またデジタル方式であれば、デジタルチューナ、及び誤り訂正部等を含むように構成されている。
【００４０】
放送受信部１５に含まれるデジタルチューナは、中間周波信号の増幅及び検波を行うことにより、ＭＰＥＧ２方式のデジタル信号であるＴＳ（＝トランスポートストリーム）の取得を行う。なおＴＳとは、複数の番組の音声ＰＥＳ（Packetized Elementary Stream）、画像ＰＥＳ、及び付加情報を固定長のＴＳパケットに分割してつなぎ合わせたものである。取得されたＴＳは、信号分離部１８へ与えられる。
【００４１】
外部入力部１６は、例えばコンポジット信号を入力するＲＣＡ入力端子やＳ信号を入力するＳ端子等の、複数の外部入力端子からなる入力インタフェースである。外部入力部１６はこれらの外部接続端子を用いて、液晶テレビ１と外部の記録再生装置、例えばＤＶＤプレーヤやビデオレコーダ等を接続し、画像信号及び音声信号を入力する。
【００４２】
Ａ／Ｄ（Analog／Digital）変換部１７は、放送受信部１５及び外部入力部１６から入力された信号がコンポジット信号等のアナログ信号である場合に、デジタル信号に変換する。なお、入力された信号がデジタル信号である場合は変換を行わず、入力した信号をそのまま次の信号分離部１８に出力する。
【００４３】
信号分離部１８は、ＴＳを入力し、音声情報を含むデジタル音声信号と、画像情報を含むデジタル画像信号とに分離する多重分離部である。具体的には例えば、放送受信部１５より生成されたＴＳを、ＴＳパケットに分割する。そしてＴＳパケットを番組毎に再結合することにより、音声／画像のＰＥＳを生成する。
【００４４】
そしてＰＥＳを結合することにより、ＥＳ（Elementary Stream＝符号化された音声／画像データ）を生成する。さらに信号分離部１８はＥＳの復号を行い、各種デジタル信号に変換する。復号により得られたデジタル音声信号は音声信号復号部１９、デジタル画像信号は画像信号復号部２２へ与えられる。
【００４５】
音声信号復号部１９は、デジタル音声信号の復号化を行い、音声信号を音声信号生成部２０に与える。音声信号生成部２０は、スピーカ２１を用いて、アナログ音声信号を音声に変換して出力する。なおこの際、音声信号生成部２０は制御部１１から受けた指示に基づいて出力音量の設定を行う。
【００４６】
画像信号復号部２２は、デジタル画像信号の復号化を行う。そして複合化により得られた画像信号を、原色信号生成部２３に与える。原色信号生成部２３は、与えられた画像信号をＲＧＢの原色信号（＝素子へ入力する電気信号）に変換し、ディスプレイ２４を用いて画像を表示する。
【００４７】
原色信号生成部２３は、制御部１１から受けた指示に基づいて、出力する原色信号の信号レベルを決定する。なお、入力される信号レベルの大きさと、ディスプレイ２４に表示される各画素の色調とは相関関係にある。
【００４８】
〈２．表示装置の機能部の構成について〉
ここで、本発明の一実施形態に係る液晶テレビ１が備える機能部の構成を、図２の機能ブロック図を用いながら説明する。
【００４９】
図２に示すように、本実施形態のレベル補正処理は少なくとも、制御部１１が備える信号取得部１１ａ、領域検出部１１ｂ、レベル比較部１１ｃ、及びレベル補正部１１ｄにより実施される。
【００５０】
信号取得部１１ａは、ディスプレイ２４に表示される画像をフィールドメモリ１４に記録するフィールドメモリ機能を備える。具体的には、画像信号復号部２２が画像信号の出力を開始すると、原色信号生成部２３が生成する原色信号（＝入力信号）をフレーム単位で取得し、フィールドメモリ１４に記録する。
【００５１】
なお本実施形態では、原色信号の出力が継続される限り、信号の取得及び記録を繰り返し行うものとする。フィールドメモリ１４に記録した信号は、タイムスタンプによる世代管理を行い、記録時から所定期間を経過した信号は順次消去していく。
【００５２】
領域検出部１１ｂは、それぞれ色が異なる三色の素子を単位素子群（以下、「トリオ」という）として検出する。さらに、三色の素子が配列されている方向（図３の例では横方向）において、入力信号のレベルが同じトリオが三トリオ以上連続している領域を、同色領域として検出する。
【００５３】
図３（ａ）は、ディスプレイ２４の素子の配列を示した拡大図である。図中のＲ（＝赤色）、Ｇ（＝緑色）、Ｂ（＝青色）が、一画素分の素子を示している。また図３（ｂ）は、素子に入力される原色信号の信号レベルの一例を示している。
【００５４】
各素子は、予め発光色が定められている。このため、ＲＧＢが一組となったトリオ単位で、入力信号の信号レベルが調整される。図３（ａ）に示す例では、Ｔ１が一トリオを示している。またＴ１の横には、同じくトリオとしてＴ２、及びＴ３が存在する。
【００５５】
Ｔ１〜Ｔ３に含まれるＲＧＢの各信号レベルが同じ、又は近似である場合、Ｔ１〜Ｔ３は同色又は近い色調を持つことになる。この場合、Ｔ１〜Ｔ３からなる領域９１が、同色領域とみなされる。なお、近似とみなす信号レベル差については、本発明の主旨を逸脱しない範囲内において、適宜変更可能である。
【００５６】
例えば図３（ａ）おいて、各トリオの信号レベルが以下の内容であったとする。
（Ｔ１）Ｒ＝２５５、Ｇ＝２５５、Ｂ＝２５０
（Ｔ２）Ｒ＝２５５、Ｇ＝２５５、Ｂ＝２５０
（Ｔ３）Ｒ＝２５５、Ｇ＝２４９、Ｂ＝２５０
【００５７】
この場合、Ｔ１とＴ２は同色であるとみなされる。Ｔ３については、Ｇの信号レベルが６の差を持っているが、これが近似の許容範囲とされている場合は、Ｔ３がＴ１及びＴ２に近い色調と判定される。
【００５８】
レベル比較部１１ｃは、領域検出部１１ｂにより検出された同色領域のうち、白色トリオにより構成される同色領域（以下、「白色領域」という）に対して、その同色領域に隣接するトリオである隣接トリオ（＝隣接素子群）とのレベル比較を行う。
【００５９】
なおレベル比較部１１ｃは、各原色信号のレベルが所定の第一閾値を上回るトリオを白色トリオ、所定の第二閾値を下回るトリオを黒色トリオとみなすものとする。例えば、第一閾値を２４５、第二閾値を１０と設定する。この場合、ＲＧＢの信号レベルが全て２４５を上回るトリオが、白色トリオとみなされる。
【００６０】
レベル比較部１１ｃは上記のレベル比較の結果に基づいて、白色領域の信号レベルと隣接トリオの信号レベルとの差が所定値（例えば十倍）を超える白色領域を検出する。そして、検出した白色領域の位置を示す位置情報を、次のレベル補正部１１ｄに与える。
【００６１】
レベル補正部１１ｄは、上記の位置情報を受けると、該当する白色領域に対して行うべきレベル調整量を算出する。例えば、白色領域が画面左端に存在し、白色領域の右側に黒色トリオが存在したとする。この場合、白色領域両端のトリオの信号レベルを、所定値だけ低減させる。
【００６２】
具体的には例えば、図３（ａ）に示す領域９１が白色領域であったとする。また図示していないが、Ｔ３の右に隣接する隣接トリオが、黒色トリオであったとする。この場合、領域９１の最左端トリオであるＴ１のＲを、元レベルの１／３〜１／４程度低減する。また、Ｔ１のＧを、元レベルの１／６〜１／８程度低減する。また、領域９１の最右端トリオであるＴ３のＢを、元レベルの１／３〜１／４程度低減する。また、Ｔ３のＧを、元レベルの１／６〜１／８程度低減する。
【００６３】
これにより例えば、図３（ｂ）に示す信号レベルとなる。通常は１００％の信号レベルの原色信号が、各素子へ入力されていたとする。これに対し、レベル補正部１１ｄが算出した結果に基づき、該当する素子に対する信号レベルが８５％や７０％まで低減される。例えば、Ｔ１のＲを３０％低減、Ｔ１のＧを１５％低減している。
【００６４】
レベル補正部１１ｄは、以上により決定した信号レベルの低減量に基づき、各素子へ入力される原色信号のレベルを低減させるよう、原色信号生成部２３を制御する。なお低減する値については、本発明の主旨を逸脱しない範囲内において、適宜変更可能である。また、低減を行うのは、一フレーム分の画像を表示するための原色信号に対してのみであり、フレームが変われば通常の信号レベルに戻すものとする。
【００６５】
〈３．レベル補正処理について〉
ここで、本発明の一実施形態に係る液晶テレビ１が実施するレベル補正処理について、図４のフロー図を用いながら説明する。
【００６６】
図４は、本発明の一実施形態に係るレベル補正処理の処理フローを示したフローチャートである。本処理は、ディスプレイ２４による画像の表示指示を制御部１１が検出した場合に開始される。なお画像の表示指示は、例えば操作部１３に含まれる液晶テレビ１の電源ボタンが押下された場合等に発行される。
【００６７】
本処理の開始後、信号取得部１１ａはステップＳ１１０において、一フレーム分の原色信号を取得し、フィールドメモリ１４に記録する。
【００６８】
次に領域検出部１１ｂはステップＳ１２０において、フィールドメモリ１４に記録されている原色信号を用いて、ＲＧＢの各信号レベルのチェックをトリオ単位で行う。これにより、上述の同色領域の検出を行う。
【００６９】
なおチェック対象とする領域としては、一フレーム分の画像全体を対象とする形態でもよいし、所定の領域のみを対象とする形態でもよい。例えば、画像の最外縁部に位置する最外縁トリオから所定数だけ内側のトリオのみを、チェック対象とする形態でもよい。
【００７０】
同色領域が検出されなかった場合、レベル補正を行う必要がないため、ステップＳ２００へ移行する。ステップＳ２００においては、レベル補正を行っていない原色信号、つまり原色信号生成部２３が生成する通常の原色信号をディスプレイ２４に与えることにより、通常の画像表示を行う。
【００７１】
同色領域が検出された場合、レベル比較部１１ｃはステップＳ１３０において、検出された同色領域が白色領域であるか否かを判定する。つまり、同色領域の各トリオの信号レベルが、第一閾値を超えるか否かを判定する。そして第一閾値を超える場合に、白色トリオとみなす。
【００７２】
第一閾値を超えないと判定された場合、ステップＳ２００へ移行する。第一閾値を超えると判定された場合、ステップＳ１４０へ移行する。
【００７３】
次にレベル比較部１１ｃはステップＳ１４０において、検出された白色領域の左隣接トリオが、黒色トリオ（もしくは画面外）であるか否かを判定する。つまり左隣接トリオの信号レベルが、第二閾値を下回るか否かを判定する。そして第二閾値を下回る場合に、黒色トリオ（もしくは画面外）とみなす。
【００７４】
第二閾値を下回らないと判定された場合、後述するステップＳ１６０へ移行する。第二閾値を下回ると判定された場合、レベル比較部１１ｃは、該当する白色領域の位置を示す位置情報を、レベル補正部１１ｄへ与える。
【００７５】
上記の位置情報を受けたレベル補正部１１ｄはステップＳ１５０において、該当する白色領域に対する、原色信号のレベル調整量を算出する。そして算出した値に基づき、白色領域の最左端トリオのＲとＧについて、所定の値だけ信号レベルを下げるよう、原色信号生成部２３を制御する。この結果、例えば図３（ｂ）に示すトリオＴ１のように、ＲとＧの信号レベルが低減される。
【００７６】
次にレベル比較部１１ｃはステップＳ１６０において、検出された白色領域の右隣接トリオが、黒色トリオ（もしくは画面外）であるか否かを判定する。つまり右隣接トリオの信号レベルが、第二閾値を下回るか否かを判定する。そして第二閾値を下回る場合に、黒色トリオ（もしくは画面外）とみなす。
【００７７】
第二閾値を下回らないと判定された場合、ステップＳ２００へ移行する。第二閾値を下回ると判定された場合、レベル比較部１１ｃは、該当する白色領域の位置を示す位置情報を、レベル補正部１１ｄへ与える。
【００７８】
上記の位置情報を受けたレベル補正部１１ｄはステップＳ１７０において、該当する白色領域に対する、原色信号のレベル調整量を算出する。そして算出した値に基づき、白色領域の最右端トリオのＧとＢについて、所定の値だけ信号レベルを下げるよう、原色信号生成部２３を制御する。この結果、例えば図３（ｂ）に示すトリオＴ３のように、ＧとＢの信号レベルが低減される。
【００７９】
なお、以上に説明したステップＳ１３０〜ステップＳ１７０の処理は、ステップＳ１２０で検出された同色領域の全てに対して行うものとする。全ての同色領域に対して処理が完了すると、再びステップＳ１１０へ移行する。これにより、次フレームの画像に対して、上述のレベル補正処理を行う。
【００８０】
以上に説明した本実施形態によれば、ディスプレイ２４の画面端、例えば図３のＴ１において発生する色ズレの度合いを軽減することが可能である。これにより、ディスプレイ２４のサイズが比較的大きい場合や、ディスプレイ２４と視聴者との距離が比較的近い場合において、色ズレが視聴者の視聴妨げとなることを回避することができる。
［その他の実施の形態］
【００８１】
以上、好ましい実施の形態及び実施例を挙げて本発明を説明したが、本発明は必ずしも上記実施の形態に限定されるものではなく、その技術的思想の範囲内において様々に変形して実施することができる。
【００８２】
従って本発明は、以下の形態にも適用可能である。
【００８３】
（Ａ）上記実施形態では、本発明のレベル補正処理に関わる各種機能部が、マイクロプロセッサ等の演算処理装置上でプログラムを実行することにより実現されているが、各種機能部が複数の回路により実現される形態でもよい。
【００８４】
（Ｂ）上記実施形態では、本発明のレベル補正処理を行う表示装置として液晶テレビ１を例に説明しているが、これ以外の表示装置、又は表示装置を備えた電子機器等において本発明を実施する形態でもよい。例えば、プラズマテレビ、ＣＲＴディスプレイ、有機ＥＬディスプレイ等において実施する形態でもよい。
【００８５】
（Ｃ）上記実施形態では、同じ信号レベルのトリオが三つ以上連続している領域を同色領域として検出しているが、これ以外の数を条件に用いて、同色領域を検出する形態でもよい。また、レベル補正処理を実施するか否かを判定するためのレベル差の数値についても、上記以外の数値を条件に用いる形態でもよい。
【００８６】
（Ｄ）上記実施形態では、一フレーム毎にレベル補正処理を行っているが、所定の画像が所定フレームを超えて連続表示された場合にのみ、レベル補正処理を行う形態でもよい。例えば、白色領域が同じ位置に十フレーム連続して表示された段階でレベル補正処理を開始し、十フレーム未満の場合はレベル補正処理を行わない形態でもよい。
【００８７】
（Ｅ）上記実施形態では、ディスプレイ２４に含まれる同色の素子が縦方向に並んでいる形態を例に説明を行ったが、同色の素子が横方向に並んでいる場合でも、本発明を実施することが可能である。この場合、縦並びのＲＧＢを一トリオとして、同色領域の検出を行う。そして同色領域の上下端のトリオの信号レベルを低減させることにより、上下端に発生する色ズレを回避する。
【００８８】
（Ｆ）上記実施形態では、制御部１１の備える各機能部が、原色信号の信号レベルにより各画素の色調を判断しているが、画像信号に変換される前の画像データ、つまり画像信号復号部が生成する復号データを解析することにより各画素の色調を判断し、上述のレベル補正処理を行う形態でもよい。
【００８９】
（Ｇ）上記実施形態では、レベル補正部１１ｄが信号レベルを低減する値について固定値を用いているが、白色領域に隣接するトリオの信号レベルに応じて、低減する信号レベルを変更する形態でもよい。例えば白色領域の隣接トリオの各信号レベルが９であり、灰色に近い色調であったとする。この場合、白色領域の最右端トリオのＢについて、隣接トリオが黒色トリオ（各信号レベルが０）である場合よりも、レベルを低減する度合いを軽くする。このように動的に低減量を変更することにより、より好適な補正処理を行うことができる。
【符号の説明】
【００９０】
１      液晶テレビ（表示装置）
１１    制御部
１１ａ  信号取得部
１１ｂ  領域検出部
１１ｃ  レベル比較部
１１ｄ  レベル補正部
１２    フラッシュメモリ
１３    操作部
１４    フィールドメモリ（記録部）
２２    画像信号復号部
２３    原色信号生成部（信号生成部）
２４    ディスプレイ（表示部）
【図１】
2011022436.tif 000003
【図２】
2011022436.tif 000004
【図４】
2011022436.tif 000005
【図３】
2011022436.tif 000006
【図５】
2011022436.tif 000007
【図６】
2011022436.tif 000008